(57)【要約】  【課題】簡素な構成を有しながら、手軽に紙葉類を穿孔し得る穿孔具を提供する。  【解決手段】本実施形態に係る穿孔具Ｓは、雌刃３が雄刃２を収容する際に雄刃２と雌刃３とを離間させる方向への反発力を蓄積した状態で当該雄刃２と雌刃３とを支持する弾性支持部１に設けている。そして弾性支持部１は、裏表紙Ｈ２に設けた凹部支持部１１と、裏表紙Ｈ２から延出させて折り返した折返し片１０に設けた凸部支持部１５と、これら裏表紙Ｈ２と折返し片１０とを谷折りに折り返した本発明に係る弾性折返し端１ａとを有している。  【選択図】図２
2008132589.tif 000002
【特許請求の範囲】
【請求項１】
穿孔対象である紙葉類の厚み方向に突出する穿孔凸部と、
当該穿孔凸部との間に紙葉類を挟んだ状態で前記穿孔凸部を経過的に収容して前記紙葉類に綴じ穴を形成し得る穿孔凹部と、
当該穿孔凹部が前記穿孔凸部を収容する際に前記穿孔凸部と前記穿孔凹部とを離間させる方向への反発力を蓄積した状態で当該穿孔凸部と穿孔凹部とを支持する単一のシートにより構成された弾性支持部とを少なくとも具備することを特徴とする穿孔具。
【請求項２】
前記弾性支持部を、前記穿孔凸部と前記穿孔凹部とを離間させる方向への反発力を蓄積した状態で前記シートを折り返した弾性折返し端の弾性反発力により前記穿孔凸部と前記穿孔凹部と相対移動可能に支持する凸部支持部と凹部支持部とを有するものとしている請求項１記載の穿孔具。
【請求項３】
前記弾性折返し端を、前記凸部支持部と前記凹部支持部との間に介在させて設けたものとしている請求項２記載の穿孔具。
【請求項４】
前記シートを前記凸部支持部及び前記凹部支持部の何れか一方又は両方から延出する延出部をさらに有するものとし、前記弾性折返し端を前記凸部支持部又は前記凹部支持部と前記延出部との間に更に設けている請求項２又は３記載の穿孔具。
【請求項５】
前記延出部を前記凸部支持部及び前記凹部支持部の何れか一方から延出するものとし、前記凸部支持部及び前記凹部支持部の動作範囲において常に他方を押圧し得る押圧端を有するものとしている請求項４記載の穿孔具。
【請求項６】
前記延出部を、前記凸部支持部から延出させて設け、前記押圧端を、前記穿孔凹部近傍を押圧し得るものとしている請求項５記載の穿孔具。
【請求項７】
前記押圧端を、前記穿孔凹部の両側から押圧し得るものとしている請求項６記載の穿孔具。
【請求項８】
前記凸部支持部と前記凹部支持部のうち少なくとも何れか一方を、前記シートを重層させた隙間に前記穿孔凸部又は前記穿孔凹部を保持するものとしている請求項２、３、４、５、６又は７記載の穿孔具。
【請求項９】
前記穿孔凸部を前記隙間に保持し、当該穿孔凸部における突出端を前記シートから突出させて設けている請求項８記載の穿孔具。
【請求項１０】
前記シートを前記凸部支持部又は前記凹部支持部の何れか一方から紙葉類を挿入する挿入方向に直交する方向へ延出させて形成した舌片をさらに有するものとし、前記弾性折返し端を前記凸部支持部又は前記凹部支持部と前記舌片との間に更に設けている請求項２、３、４、５、６、７、８又は９記載の穿孔具。
【請求項１１】
前記凸部支持部又は前記凹部支持部の何れか一方から紙葉類を挿入する挿入方向に直交する方向へ延出させて形成した舌片を更に設け、当該舌片を他方に止着するものとしている請求項２、３、４、５、６、７、８又は９記載の穿孔具。
【請求項１２】
前記舌片を、前記シートを重層させた隙間に挿入することにより止着している請求項１０又は１１記載の穿孔具。
【請求項１３】
前記舌片を、前記穿孔凸部と前記穿孔凹部とを所定距離離間させて略対面させ得る位置で止着している請求項１０、１１又は１２記載の穿孔具。
【請求項１４】
前記弾性支持部を紙により設けている請求項１、２、３、４、５、６、７、８、９、１０、１１、１２又は１３記載の穿孔具。
【請求項１５】
前記穿孔凹部をファイルの表紙体の一部に一体に設け、前記穿孔凸部を前記表紙体の一部から折り返した折返し片に設けている請求項１、２、３、４、５、６、７、８、９、１０、１１、１２、１３又は１４記載の穿孔具。
【請求項１６】
ファイルの表紙体における所定箇所に取り付け得るユニット化されたものとしている請求項１、２、３、４、５、６、７、８、９、１０、１１、１２、１３又は１４記載の穿孔具。
【請求項１７】
請求項１乃至１４のいずれかに記載の穿孔具と、紙等の紙葉類を保持する表紙体とを具備してなり、前記穿孔具を前記表紙体の一部に設けていることを特徴とするファイル。
【請求項１８】
前記穿孔具を前記表紙体の一部に一体に設けている請求項１７記載のファイル。
【請求項１９】
表紙体と、当該表紙体における所定箇所に取り付けたユニット化された穿孔具とを具備している請求項１７記載のファイル。
【請求項２０】
前記表紙体を、前記穿孔凹部及び穿孔凸部とが所定距離以上離間するのを防止し得る離間防止部を有するものとしている請求項１９記載のファイル。
【請求項２１】
前記穿孔具ユニットを前記表紙体の縁に沿って取り付けるとともに、
前記離間防止部を、前記表紙体の縁から延出し折り返して設けた折返し部を有するものとしている請求項２０記載のファイル。
【請求項２２】
前記表紙体又は前記折返し部から当該折返し部とは異なる方向から延出し前記折返し部に止着される止着部をさらに有するものとしている請求項２１記載のファイル。
【発明の詳細な説明】
【技術分野】
【０００１】
本発明は、紙葉類に好適に綴じ穴を穿つための穿孔具に関するものである。
【背景技術】
【０００２】
従来、紙葉類を綴じるための綴じ穴を設ける為の種々の穿孔具が提案されている。それらのものは、雄刃と雌刃とを有しており、何れかを移動可能に支持するための支持機構を備えている。多くのものは、接続機構を介して雄刃と雌刃とが正確に嵌合することによって好適に紙葉類を穿孔し得るものとなっている。そして係る構成を有する穿孔具の多くは、弾性部材等を用いた格別の反発機構が設けられており、穿孔の際に雄刃と雌刃とを近接させて穿孔した後、穿孔する前の位置まで雄刃と雌刃とを離間させ得るものとなっている。
【０００３】
また一方で、簡素な構成を有することによって例えばファイルの表紙体といったスペースに制約がある箇所に設けられた穿孔具が提案されている（例えば、特許文献１参照）。このものは、上述の接続機構を簡素化したり、反発機構を省略することにより、穿孔具自体の構成を大幅に簡素化することによって小型或いは薄型化を成し得たものとなっており、例えば少量の枚数の紙であれば、綴じる必要が生じた際にその場で手軽に綴じ穴を設けることができるものとなっている。
【特許文献１】特開２００５−３４９５１８号公報
【発明の開示】
【発明が解決しようとする課題】
【０００４】
しかしながら、上述のような穿孔具の場合においては、穿孔の際に雄刃と雌刃とが離間させる上述の反発機構が省略されたため、穿孔した後、使用者は雄刃と雌刃とを離間させる作業を新たに要するものとなっている。ここで、斯かる簡素化された構成を有する穿孔具においても、さらに手軽に紙葉類を穿孔し得るものが要求されることとなる。
【０００５】
そこで本発明は、以上のような点に着目したものであり、構成が簡素化された穿孔具においても手軽に紙葉類を穿孔し得る穿孔具並びに当該穿孔具を具備するファイルを提供する。
【課題を解決するための手段】
【０００６】
本発明は、このような目的を達成するために、次のような手段を講じたものである。すなわち、本発明に係る穿孔具は、穿孔対象である紙葉類の厚み方向に突出する穿孔凸部と、当該穿孔凸部との間に紙葉類を挟んだ状態で前記穿孔凸部を経過的に収容して前記紙葉類に綴じ穴を形成し得る穿孔凹部と、当該穿孔凹部が前記穿孔凸部を収容する際に前記穿孔凸部と前記穿孔凹部とを離間させる方向への反発力を蓄積した状態で当該穿孔凸部と穿孔凹部とを支持する単一のシートにより構成された弾性支持部とを少なくとも具備することを特徴とする。
【０００７】
このようなものであれば、紙葉類を穿孔した際の穿孔凸部と穿孔凹部とが、単一のシートにより構成された弾性支持部が蓄積している弾性反発力によって、好適に離間した状態となるため、格別の反発機構を設けることなく穿孔凹部または穿孔凹部から紙葉類を取り外すことができる。そうすることにより、簡素な構成を有しながら、手軽に紙葉類を穿孔し得る穿孔具とすることができる。
【０００８】
弾性折返し端の位置において優先的にシートを折り返す構成として、正確な相対移動を実現するためには、弾性支持部を、穿孔凸部と穿孔凹部とを離間させる方向への反発力を蓄積した状態でシートを折り返した弾性折返し端の弾性反発力により穿孔凸部と穿孔凹部と相対移動可能に支持する凸部支持部と凹部支持部とを有するものとすることが望ましい。
【０００９】
凸部支持部及び凹部支持部が、より正確な相対動作をし得るものとするためには、弾性折返し端を、凸部支持部と凹部支持部との間に介在させて設けることが好ましい。
【００１０】
他方弾性折返し端の他の態様として、シートを凸部支持部及び凹部支持部の何れか一方又は両方から延出する延出部をさらに有するものとし、弾性折返し端を凸部支持部又は凹部支持部と延出部との間に更に設けたものと挙げることができる。斯かる構成により、弾性折返し端を設ける位置に係る設計自由度を向上させることができる。
【００１１】
そして、紙葉類を好適に位置決めすることによる正確な穿孔動作を実現するためには、延出部を凸部支持部及び凹部支持部の何れか一方から延出するものとし、凸部支持部及び凹部支持部の動作範囲において常に他方を押圧し得る押圧端を有するものとすることが望ましい。
【００１２】
斯かる構成の場合、延出部を、凸部支持部から延出させて設け、押圧端を凹部支持部における穿孔凹部近傍を押圧することにより、紙葉類を安定して位置付けることが可能となる。
【００１３】
特に穿孔し易く紙葉類を位置付けるためには、押圧端を、穿孔凹部近傍を押圧し得るものとすることが好ましい。
【００１４】
穿孔凸部又は穿孔凹部を好適に保持するためには、凸部支持部と凹部支持部のうち少なくとも何れか一方を、シートを重層させた隙間に穿孔凸部又は穿孔凹部を保持するものとすることが望ましい。加えて、穿孔凸部を隙間に保持し、当該穿孔凸部における突出端をシートから突出させて設けたものとすれば、穿孔凸部の突出端のみを好適に紙葉類に接触させることにより、穿孔の際に綴じ穴周辺の箇所を有効に保護し得るものとなる。
【００１５】
そして、本発明に係る弾性折返し端を構成するさらなる構成として、シートを凸部支持部又は凹部支持部の何れか一方から紙葉類を挿入する挿入方向に直交する方向へ延出させて形成した舌片をさらに有するものとし、弾性折返し端を凸部支持部又は凹部支持部と舌片との間に更に設けたものを挙げることができる。そうすることにより、弾性折返し端を位置付ける設計自由度をさらに向上させることができる。
【００１６】
凸部支持部と凹部支持部との動作範囲を有効に決定するためには、記凸部支持部又は凹部支持部の何れか一方から紙葉類を挿入する挿入方向に直交する方向へ延出させて形成した舌片を更に設け、当該舌片を他方に止着するものとすることが望ましい。また舌片を有効に止着するためには、舌片を、シートを重層させた隙間に挿入することにより止着することが好ましい。特に、舌片を、穿孔凸部と穿孔凹部とを所定距離離間させて略対面させ得る位置で止着したものとすれば、凸部支持部と凹部支持部との動作範囲を少なく制限することにより継続的に動作させる際の弾性の低下を有効に抑制することが可能となる。
【００１７】
そして、斯かる弾性支持部として好適なものとして紙により設けたものを挙げることができる。
【００１８】
斯かる穿孔具を有効に活用し得る構成としては、穿孔凹部をファイルの表紙体の一部に設け、穿孔凸部を表紙体の一部から折り返した折返し片に設けることが望ましい。
【００１９】
他方、穿孔具を有効に活用し得る他の構成として、ファイルの表紙体の所定箇所に取り付け得るユニット化された穿孔具を構成したものを挙げることができる。
【００２０】
そして本発明に斯かるファイルは、上述した構成の穿孔具と、紙等の紙葉類を保持する表紙体とを具備してなり、穿孔具を表紙体の一部に設けていることを特徴とするものである。
【００２１】
斯かるファイルの場合、穿孔具を表紙体の一部に一体に設けている態様をまず挙げることができる。
【００２２】
そして他方、表紙体と、当該表紙体の所定箇所に取り付け得る穿孔具とを具備している態様を挙げることができる。
【００２３】
斯かる態様を採用した場合、表紙体を、穿孔凹部及び穿孔凸部とが所定距離以上離間するのを防止し得る離間防止部を有するものとすることにより、穿孔具の動作をより正確なものとなり、さらに穿孔具が必要以上に動作しないため、穿孔具の耐久性を向上させることも可能となる。
【００２４】
穿孔具を使用し易いものとするためのファイルの具体的な構成としては、穿孔具を表紙体の縁に沿って取り付けるとともに、離間防止部を、表紙体の縁から延出し折り返して設けた折返し部を有するものを挙げることができる。すなわち表紙体の縁を紙葉類の位置決めや穿孔具を取り付ける際の位置決めに利用することが出来る。そして、離間防止部を好適に構成するための具体的な構成として、表紙体又は折返し部から当該折返し部とは異なる方向から延出し折り返し部に止着される止着部をさらに有するものを挙げることができる。
【発明の効果】
【００２５】
本発明によれば、単一のシートにより構成された弾性支持部が蓄積している弾性反発力によって好適に離間した状態となるため、格別の反発機構を設けることなく穿孔凹部または穿孔凹部から紙葉類を取り外すことができる。そうすることにより、簡素な構成を有しながら、手軽に紙葉類を穿孔し得る穿孔具とすることが可能である。
【発明を実施するための最良の形態】
【００２６】
以下、本発明の各実施の形態について図面を参照して説明する。
【００２７】
＜第一実施形態＞
本発明の第一実施形態に係るファイルＦを図１に示す。このファイルＦは、紙等の紙葉類Ｐ（図６）を保持する表紙体Ｈに、綴じ具Ｔと穿孔具Ｓとを取り付けているものである。すなわち、穿孔具Ｓを表紙体Ｈの一部に一体に設けたものとしている。
【００２８】
表紙体Ｈは、一対の表表紙Ｈ１及び裏表紙Ｈ２と、これら表表紙Ｈ１及び裏表紙Ｈ２の間に位置する背表紙Ｈ３と、裏表紙から開放端側に延出させ折り返して設けた後述する折返し片を一体に成形した例えば一枚のシートたる厚紙からなるものである。そして、表表紙Ｈ１と背表紙Ｈ３との境界部分、及び裏表紙Ｈ２と背表紙Ｈ３との境界部分をそれぞれ背表紙Ｈ３に対して谷折りに折り畳んで表表紙Ｈ１及び裏表紙Ｈ２とが対向し得るように構成されている。また、表表紙Ｈ１における開放端近傍には綴じ具Ｔを取り付けている。一方、裏表紙Ｈ２において背表紙Ｈ３から離間した表紙体Ｈの開放端側には穿孔具Ｓを設けている。
【００２９】
綴じ具Ｔは、紙葉類に設けられた綴じ穴に綴じ足を挿し通すことにより紙葉類を綴じる扁平なものを採用している。この綴じ具Ｔ自体は周知のものである。
【００３０】
ここで、本実施形態に係る穿孔具Ｓは、互いに嵌合することにより紙葉類を穿孔し得る穿孔凸部たる雄刃２並びに穿孔凹部たる雌刃３とを有している。そしてこれら雄刃２と雌刃３とを、単一の紙製のシートたる表紙体Ｈに設けている。すなわち、雌刃３が雄刃２を収容する際に雄刃２と雌刃３とを離間させる方向への反発力を蓄積した状態で当該雄刃２と雌刃３とを支持する弾性支持部１に設けたことを特徴としているものである。
【００３１】
以下、斯かる穿孔具Ｓの具体的な構成について説明する。
【００３２】
雄刃２は、図２、図３、図４及び図６に示すように、穿孔対象である紙葉類Ｐの厚み方向に突出し、その突出端２ａを鋭利な波形状に構成することにより、紙葉類Ｐを穿孔し得るものである。本実施形態では一枚の板金からプレス等により当該雄刃２を形成しているが、板金製のものに限られず、例えば樹脂製のものであるなど、既存の構成のものを種々採用することが可能である。
【００３３】
雌刃３は、図２、図３、図４及び図６に示すように、雄刃２との間に紙葉類Ｐを挟んだ状態で雄刃２を経過的に収容して紙葉類Ｐに綴じ穴Ｐ１を形成し得るものである。具体的には、雌刃３は一枚の板金からプレス等により形成しているものであり、雄刃２の突出端２ａを収容し得る開口である収容端３ａを略中央に形成するとともに、収容端３ａの両側には板金の一部を切り起こし、切り起こした基端により紙葉類Ｐを位置決めしつつ先端に書けて紙葉類Ｐの挿入を案内し得る案内片３１を設けている。なお紙葉類Ｐの位置決めは斯かる構成に限定されることはなく、後述する弾性折返し端１ａで奥行き方向の位置決めを行ものとしても良い。また、本実施形態では一枚の板金からプレス等により当該雄刃２を形成しているが、板金製のものに限られず、例えば樹脂製のものであるなど、既存の構成のものを種々採用することが可能である。
【００３４】
弾性支持部１は、図２、図３、図４及び図６に示すように、ファイルＦの表紙体Ｈの一部である裏表紙Ｈ２に設けた凹部支持部１１と、裏表紙Ｈ２から延出させて折り返した折返し片１０に設けた凸部支持部１５と、これら裏表紙Ｈ２に設けた凹部支持部１１と折返し片１０に設けた凸部支持部１５とを谷折りに折り返すことにより凸部支持部１５と凹部支持部１１との間に介在させて設けた本発明に係る弾性折返し端１ａと、凹部支持部１１から弾性折返し端１ａの折返し方向から直交させた方向に延出し当該延出部分を凸部支持部１５に止着した一対の舌片４とを有している。なお本実施形態では裏表紙Ｈ２並びに折返し片１０の開放端には、所定サイズの紙葉類Ｐを穿孔する際の紙葉類Ｐの中央箇所を位置決めし得る切欠Ｃを形成しているが、斯かる紙葉類Ｐの幅方向の位置決めは、例えば表紙体Ｈに模様を施す等によって行うものとしても良い。
【００３５】
凹部支持部１１は、図２、図３、図４及び図６に示すように、本実施形態では裏表紙Ｈ２における開放端側において折返し片１０に対して対向し得る領域としている。そして凹部支持部１１には上述した雌刃３を取り付けるとともに、雌刃３の収容端３ａに連通し得る開口１１ａを設けている。
【００３６】
凸部支持部１５は、図２、図３、図４及び図６に示すように、裏表紙Ｈ２から延出させて折り返した折返し片１０に雄刃２を支持させたものである。具体的には当該凸部支持部１５は、折返し片１０を構成する第一折返し片１２と、この第一折返し片１２から折返し重層させた第二折返し片１４と、当該第二折返し片１４と第二折返し片１４との間に形成され雄刃２を収納する隙間１３とを有するものとしている。そして第一折返し片１２における雄刃２の突出端２ａの形状に連通し得る箇所に開口１２ａを設けるとともに、第二折返し片１４には突出端２ａを通過させて当該突出端２ａを外方へ露出させる開口１４ａを設けている。
【００３７】
舌片４は、図２、図３、図４、図５及び図６に示すように、凹部支持部１１において折返し片１０を延出させた方向に直交する方向に、側部折返し端４ａを介して突出させて設けたものである。そして図５に示すように、凸部支持部１５における隙間１３に先端部分を挿入して止着したものとしている。そして当該舌片４を止着した状態において、雄刃２と雌刃３とを所定距離離間させて略対面させ得る位置で位置決めされたものとなっている。言い換えれば舌片４は、凸部支持部１１から紙葉類Ｐを挿入する挿入方向に直交する方向へ延出させて形成したものであり、弾性折返し端たる側部折返し端４ａは凹部支持部１１と舌片４との間に設けたものとなっている。
【００３８】
ここで、本実施形態に斯かる穿孔具Ｓに設けた弾性支持部１は上述の通り、雄刃２と雌刃３とを支持する凸部支持部１５と凹部支持部１１とを離間させる方向への反発力を蓄積した状態でシートを折り返した弾性折返し端１ａを具備しているものである。
【００３９】
以下に、穿孔具Ｓを用いて紙葉類Ｐに綴じ穴Ｐ１を穿孔する際の、斯かる弾性折返し端１ａの作用について、図６、図７及び図８に示して説明する。
【００４０】
まず図６に示した状態において、凹部支持部１１と凸部支持部１５とは、弾性折返し端１ａによって所定距離離間し且つ互いに略対面した位置に支持されている。そして凹部支持部１１と凸部支持部１５との間に挿入された紙葉類Ｐは、雌刃３に設けた案内片３１によって収容端３ａ近傍に好適に位置決めされた状態となっている。そして図６に示した状態から、凸部支持部１５を押圧すると、図７に示すように、雄刃２の突出端２ａが紙葉類Ｐを貫通しながら経過的に雌刃３の収容端３ａ内に収容されるため、紙葉類Ｐに綴じ穴Ｐ１が穿孔される。
【００４１】
そして、凸部支持部１５に対する押圧力を開放すると、図８に示すように、弾性折返し端１ａが蓄積する弾性反発力が働くことによって、凸部支持部１５が凹部支持部１１から離間することとなる。詳細には、舌片４に設けた側部折返し端４ａが蓄積している弾性反発力も好適に作用しているものとなっている。このようにして、凸部支持部１５を押圧する動作のみで好適に紙葉類Ｐに綴じ穴Ｐ１を穿孔することが可能となっている。なお穿孔くずＰ２は、雌刃３の収容端３ａから開口１１ａを介して裏表紙Ｈ２側へ排出されるか、或いは凸部支持部１５側の開口１２ａ、１４ａを介して折返し片１０側へ排出されることとなる。
【００４２】
以上のような構成とすることにより、本発明の第一実施形態に係る穿孔具Ｓは、単一のシートにより構成された弾性支持部１とを少なくとも具備しているので、紙葉類Ｐを穿孔した際の雄刃２と雌刃３とが、単一のシートにより構成された弾性支持部１が蓄積している弾性反発力によって、好適に離間した状態となるため、格別の反発機構を設けることなく雌刃３または雌刃３から紙葉類Ｐを取り外すことができる。そうすることにより、簡素な構成を有しながら、手軽に紙葉類Ｐを穿孔し得る穿孔具Ｓとなっている。
【００４３】
また本実施形態では、弾性支持部１を弾性折返し端１ａの弾性反発力により雄刃２と雌刃３と相対移動可能に支持する凸部支持部１５と凹部支持部１１とを有するものとして、弾性折返し端１ａの位置において優先的に弾性変形させて、雄刃２と雌刃３との正確な相対移動を実現している。
【００４４】
そして本実施形態では、凸部支持部１５を、シートすなわち第一折返し片１２と第二折返し片１４とを重層させた隙間１３に雄刃２を好適に保持するものとすることが望ましい。加えて、雄刃２を隙間１３に保持し、当該雄刃２における突出端２ａをシートから突出させて設けたものとすれば、雄刃２の突出端２ａのみを好適に紙葉類Ｐに接触させることにより、穿孔の際に綴じ穴Ｐ１周辺の箇所を有効に保護し得るものとなる。加えて第二折返し片１４に設けた開口が、雄刃２の突出端２ａの位置ずれを有効に抑制し得るものとなっている。
【００４５】
また、紙葉類Ｐを挿入する挿入方向に直交する方向へ凹部支持部１１から延出させて形成した舌片４を、凸部支持部１５に止着することによって凸部支持部１５と凹部支持部１１との動作範囲を有効に決定し得るものとなっている。特に、舌片４を、隙間１３に挿入することによって確実に止着したものとしている。特に、舌片４を、雄刃２と雌刃３とが所定距離離間させて略対面させ得る位置で止着することにより、凸部支持部１５と凹部支持部１１との動作範囲を少なく制限し、継続的に動作させる際の弾性反発力の低下を有効に抑制し、高い耐久性を確保することが可能となっている。
【００４６】
そして以下に、本実施形態の各変形例について説明する。なお以下の変形例について、上記実施形態と同様の構成要素については同じ符合を付し、詳細な説明を省略するものとする。
【００４７】
＜第一実施形態の第一変形例＞
本実施形態の第一変形例として、図９に示すように、上記穿孔具と略同じ構成を有しつつ単独の穿孔具Ｓ１を構成したものを挙げることができる。このように、本変形例によれば、本発明を利用して、よりコンパクトな穿孔具Ｓ１を構成し得たものとなっている。
【００４８】
＜第一実施形態の第二変形例＞
また、上記実施形態においては弾性支持部１が有する弾性反発力を弾性折返し端１ａのみで実現したが、当該構成に限られることはない。
【００４９】
すなわち図１０、図１１及び図１２に示すように、第一折返し片１２と第二折返し片１４とを止着しない構成とすることにより当該第二折返し片１４を本発明に係る延出部として、これらの間に第二弾性折返し端１０ａを形成したものを挙げることができる。なお、本変形例において舌片４は、図１１に示すように、隙間１３に収容させ且つ止着するものではなく、第一折返し片１２に専ら止着したものとしている。
【００５０】
このようなものであれば、図１１及び、特に図１２に示すように、紙葉類Ｐを穿孔した後に凸部支持部１５を上昇させる弾性反発力を、弾性折返し端１ａ及び側部折返し端４ａのみならず、第二弾性折返し端１０ａによっても行わせることができるので、より強い弾性反発力を継続的に得ることが可能となる。そのため、より耐久性の高い穿孔具を構成し得るものとなる。さらに、第二折返し片１４が紙葉類Ｐを穿孔凹部近傍で押圧することにより、より正確な穿孔動作を実現し得るものとなっている。
【００５１】
そして本変形例では弾性支持部１が弾性折返し端１ａ、側部折返し端４ａ及び第二弾性折返し端１０ａを全て有する構成としたが、それらの何れか一つのみが本発明の弾性折返し端として弾性を付与する構成としても、本発明に係る弾性支持部１を構成し得るものである。
【００５２】
＜第二実施形態＞
続いて、本発明の第二実施形態に係るファイルＦ２について詳述する。具体的に本実施形態では、ファイルＦ２は表紙体Ｈと、当該表紙体Ｈの一部に取り付け得る、表紙体Ｈとは別体としてユニット化された穿孔具５とを具備してなるものとしている。さらに換言すれば、ファイルＦ２は、上記実施形態のように穿孔具５を表紙体Ｈの一部に一体に設けているものではなく、表紙体Ｈと、当該表紙体Ｈの所定箇所に貼付けたの穿孔具５とを具備しているものである。
【００５３】
以下、ファイルＦ２を構成する表紙体Ｈ並びに穿孔具５の構成について詳述する。なお本実施形態では上記実施形態において同様のものに対しては上記実施形態と同じ符合を付するものとしている。
【００５４】
表紙体Ｈは、図１３及び図１４に示すように、上記実施形態と同様に一対の表表紙Ｈ１及び裏表紙Ｈ２と、これら表表紙Ｈ１及び裏表紙Ｈ２の間に位置する背表紙Ｈ３と、裏表紙から開放端側に延出させ折り返して設けた後述する折返し部６１を一体に形成した例えば厚紙からなるものである。そして、表表紙Ｈ１と背表紙Ｈ３との境界部分、及び裏表紙Ｈ２と背表紙Ｈ３との境界部分をそれぞれ背表紙Ｈ３に対して谷折りに折り畳んで表表紙Ｈ１及び裏表紙Ｈ２とが対向し得るように構成されている。また、表表紙Ｈ１における開放端近傍には綴じ具Ｔを取り付けている。一方、裏表紙Ｈ２において背表紙Ｈ３から離間した表紙体Ｈの開放端側を穿孔具５を貼付する所定箇所とし、裏表紙の縁に沿って穿孔具５を貼付できるようにしている。
【００５５】
ここで本実施形態において表紙体Ｈは、裏表紙Ｈ２の縁に穿孔凸部たる雄刃５２及び穿孔凹部たる雌刃５３とが所定距離以上離間するのを防止し得る離間防止部６を有するものとしている。
【００５６】
離間防止部６は、図１３及び図１４に示すように、裏表紙Ｈ２の縁から延出し折り返して設けた折返し部６１と、当該折返し部６１とは異なる方向から延出し折返し部６１に止着される止着部６２とを有している。すなわち、斯かる構成により折返し部６１の両端が止着部６２に止着されることにより、一定距離以上裏表紙Ｈ２から離間し得ないものとなる。そのため、離間防止部６と裏表紙Ｈ２との間に取り付けた穿孔具５は、雄刃５２と雌刃５３とが一定距離以上離間するのを好適に防止し得るものとなっている。
【００５７】
綴じ具Ｔは、上記実施形態同様周知のものであり、図示の態様の他、既存の種々のものを採用することができる。
【００５８】
穿孔具５は、図１３、図１５、図１６及び図１７に示すように、表紙体Ｈの所定箇所である裏表紙Ｈ２の縁に沿った位置に貼付するためにユニット化されたものとしている。具体的には、互いに嵌合することにより紙葉類を穿孔し得る穿孔凸部たる雄刃５２並びに穿孔凹部たる雌刃５３と、雌刃５３が雄刃５２を収容する際に雄刃５２と雌刃５３とを離間させる方向への反発力を蓄積した状態で当該雄刃５２と雌刃５３とを支持する弾性支持部５１とを有していることを特徴としているものである。
【００５９】
以下、斯かるユニット化された穿孔具５の具体的な構成について説明する。
【００６０】
雄刃５２は、図１５、図１６及び図１７に示すように、穿孔対象である紙葉類Ｐの厚み方向に突出し、その突出端５２ａを鋭利な波形状に構成することにより、紙葉類Ｐを穿孔し得るものである。なお本実施形態では当該雄刃５２を樹脂製のものとしている。
【００６１】
雌刃５３は、図１５、図１６及び図１７に示すように、雄刃５２との間に紙葉類Ｐを挟んだ状態で収容端５３ａの内側において雄刃５２を経過的に収容して紙葉類Ｐに綴じ穴Ｐ１を形成し得るものである。なお雌刃５３についても、雄刃５２同様樹脂製のものとしている。
【００６２】
弾性支持部５１は、図１３、図１５、図１６及び図１７に示すように、ファイルＦ２の表紙体Ｈの一部である裏表紙Ｈ２に貼付する凹部支持部５１１と、当該凹部支持部５１１から延出させて折り返した凸部支持部５１５と、これら凹部支持部５１１及び凸部支持部５１５の間に介在させて設けた弾性折返し端５１ａと、凸部支持部５１５から延出させて折り返した延出部５１０と、これら延出部５１０及び凸部支持部５１５との間に介在させて設けた弾性折返し端である第二弾性折返し端５１０ａとを有するものである。
【００６３】
凹部支持部５１１は、同図に示すように、所定位置で一対の雌刃５３を取り付けているとともに、裏面側略全域を裏表紙Ｈ２に貼付されることにより表紙体Ｈに固定されたものとなっている。
【００６４】
凸部支持部５１５は、同図に示すように、凹部支持部５１１から弾性折返し端５１ａの位置で折り返し延出させて設けたものであり、雌刃５３に対応する所定位置において雄刃５２を支持させたものである。
【００６５】
弾性折返し端５１ａは、同図に示すように、凹部支持部５１１及び凸部支持部５１５との間を折ることにより設けられたものである。そしてこの弾性折返し端５１ａは、凹部支持部５１１及び凸部支持部５１５の間に介在することにより、外力を付与しない状態では雄刃５２と雌刃５３とを離間させた位置に保ち、紙葉類Ｐを穿孔する際には雄刃５２と雌刃５３とが離間する方向の弾性反発力が蓄積されるものとなっている。
【００６６】
延出部５１０は、同図に示すように、凸部支持部５１５から第二弾性折返し端５１０ａを介して延出させて設けたものであり、先端側に凹部支持部５１１を押圧し得る押圧端５１０ｂと、先端側における雌刃５３に対応する位置を半円状に窪ませた退避端５１０ｃとを有したものとしている。当該退避端５１０ｃを設けることにより、紙葉類Ｐを穿孔する動作において押圧端５１０ｂが雌刃５３の両側から押圧し得るものとなっている。
【００６７】
第二弾性折返し端５１０ａは、同図に示すように、外力を付与しない状態では凸部支持部５１５と延出部５１０の押圧端５１０ｂを離間させて当該押圧端５１０ｂが凹部支持部５１１に当接した状態となるように位置付けることにより、紙葉類Ｐを穿孔する際に雄刃５２と雌刃５３とが離間する方向の弾性反発力を蓄積するとともに、紙葉類Ｐを穿孔する一連の動作において押圧端５１０ｂを常に紙葉類Ｐを押圧させ得るものとしている。
【００６８】
ここで、本実施形態に係る穿孔具５を用いて紙葉類Ｐに綴じ穴Ｐ１を穿孔する際の一連の動作について、図１７、図１８及び図１９に示して説明する。
【００６９】
まず図１７に示した状態において、凹部支持部５１１と凸部支持部５１５とは、弾性折返し端５１ａによって所定距離離間し且つ互いに略対面した位置に支持されている。そして凹部支持部５１１と凸部支持部５１５との間に挿入された紙葉類Ｐは、延出部５１０の押圧端５１０ｂに押圧されることにより雌刃５３の上に位置決めされた状態となっている。そして図１７に示した状態から外力により例えば折返し部６１の上から凸部支持部５１５を押圧すると、押圧端５１０ｂは紙葉類Ｐの上側をスライドしながら押圧する。詳細には、退避端５１０ｃを設けることにより雌刃５３の周縁を両側から押圧してゆくこととなる。
【００７０】
そして図１８に示すように、雄刃５２の突出端５２ａが紙葉類Ｐを貫通しながら経過的に雌刃５３の収容端５３ａ内に収容される際に穿孔くずＰ２が生じるとともに、紙葉類Ｐに綴じ穴Ｐ１が穿孔される。
【００７１】
さらに図１８に示した状態から凸部支持部５１５を押圧する外力を開放すると、図１９に示すように、弾性折返し端５１ａ並びに第二弾性折返し端５１０ａに蓄積された弾性反発力が働くことによって、凸部支持部５１５が凹部支持部５１１から離間することとなる。このようにして、凸部支持部５１５を押圧する動作のみで好適に紙葉類Ｐに綴じ穴Ｐ１を穿孔することが可能となっている。
【００７２】
以上のような構成とすることにより、本発明の第二実施形態に係る穿孔具５は上記第一実施形態と同様に、単一のシートにより構成された弾性支持部５１を少なくとも具備しているので、紙葉類Ｐを穿孔した際の雄刃５２と雌刃５３とが、単一のシートにより構成された弾性支持部５１が蓄積している弾性反発力によって、好適に離間した状態となるため、格別の反発機構を設けることなく雌刃５３または雌刃５３から紙葉類Ｐを取り外すことができる。そうすることにより、簡素な構成を有しながら、手軽に紙葉類Ｐを穿孔し得る穿孔具５を構成することを実現している。
【００７３】
また、弾性支持部５１を弾性折返し端５１ａの弾性反発力により雄刃５２と雌刃５３と相対移動可能に支持する凸部支持部５１５と凹部支持部５１１とを有するものとして、弾性折返し端５１ａの位置において優先的に弾性変形させて、雄刃５２と雌刃５３との正確な相対移動を実現している。
【００７４】
弾性折返し端５１ａを、凸部支持部５１５と凹部支持部５１１との間に介在させて設けることにより、凸部支持部５１５及び凹部支持部５１１が、より正確な相対動作をし得るものとしている。
【００７５】
他方、弾性折返し端の他の態様として、シートを凸部支持部５１５及び凹部支持部５１１の何れか一方又は両方から延出する延出部５１０をさらに有するものとし、弾性折返し端を凸部支持部５１５と延出部５１０との間に更に設けた第二弾性折返し端５１０ａとすることにより、より強い弾性反発力を奏するものとなっている。
【００７６】
そして、紙葉類Ｐを好適に位置決めすることによる正確な穿孔動作を実現するために本実施形態では、凸部支持部５１５及び凹部支持部５１１の動作範囲において常に凹部支持部を押圧し得る押圧端５１０ｂを延出部５１０に設けたものとしている。
【００７７】
斯かる構成の場合、延出部５１０を、凸部支持部５１５から延出させて設け、押圧端５１０ｂを凹部支持部５１１における雌刃５３近傍を押圧することにより、紙葉類Ｐを安定して位置付けることが可能となる。
【００７８】
特に穿孔し易く紙葉類Ｐを位置付けるためには、押圧端５１０ｂに加えて退避端５１０ｃを設けて、雌刃５３近傍を両側から押圧して穿孔時の紙葉類Ｐのずれを有効に回避し得たものとなっている。
【００７９】
そしてこの第二実施形態では、表紙体Ｈを、雄刃５２及び雌刃５３とが所定距離以上離間するのを防止し得る離間防止部６を設けることにより、穿孔具５の動作をより正確なものとなり、さらに穿孔具５が必要以上の範囲で動作しないため、穿孔具５の耐久性をも向上させている。
【００８０】
穿孔具５を使用し易いものとするためのファイルＦ２の具体的な構成として本実施形態では、穿孔具５を表紙体Ｈの縁に沿って取り付けるとともに、離間防止部６を、表紙体Ｈの縁から延出し折り返して設けた折返し部６１を設けている。すなわち表紙体Ｈの縁を紙葉類Ｐの位置決めや穿孔具５を取り付ける際の位置決めに利用したものとしている。そして、離間防止部６を好適に構成するための具体的な構成として、表紙体Ｈ又は折返し部６１から当該折返し部６１とは異なる方向から延出し折返し部６１に止着される止着部６２をさらに設けたものとしている。
【００８１】
＜第二実施形態の第一変形例＞
また、この第二実施形態で採用した穿孔具５の変形例として、図２０に示すように、凹部支持部５１１において延出部５１０を延出させた方向に直交する方向に、側部折返し端５４ａを介して突出させて舌片５４を設けたものを挙げることができる。なお同変形例においても上記各実施形態と同じ構成要素については同じ符合を付すものとする。
【００８２】
舌片５４は、図２０に示すように、凸部支持部５１５から紙葉類Ｐを挿入する挿入方向に直交する方向へ延出させて形成したものであり、弾性折返し端たる側部折返し端５４ａは凹部支持部５１１と舌片５４との間に設けたものとなっている。斯かる構成により、穿孔動作の際に雄刃５２と雌刃５３とを離間させる弾性反発力を、より強いものとすることができる。また、例えば延出部５１０及び第二弾性折返し端５１０ａの代わりに当該舌片５４を採用することによってもより高い弾性反発力を得ることができるので、本発明に係る弾性支持部５１を構成する上での弾性折返し端を設定する設計自由度をさらに向上させ得るものとなる。
【００８３】
＜第二実施形態の第二変形例＞
そして次は表紙体Ｈの変形例として、図２１に示すように、裏表紙Ｈ２の縁に沿って帯状部６３を設けることにより、離間防止部６を設けた態様を挙げることができる。このように、離間防止部６を設ける態様は裏表紙Ｈ２から延出させて設ける態様に限られることはなく、種々の構成によって実現し得るものである。また斯かる態様の他には、例えば裏表紙Ｈ２に別体のカバーを被せるなどして離間防止部６を形成するなど、種々な態様を採用することができる。
【００８４】
以上、本発明の実施形態について説明したが、各部の具体的な構成は、上述した実施形態のみに限定されるものではなく、本発明の趣旨を逸脱しない範囲で種々変形が可能である。
【００８５】
例えば上記実施形態では穿孔凸部及び穿孔凹部を所謂パンチ刃を構成しうる雄刃及び雌刃としたが、当該パンチ刃の他に、例えばドリル刃、ステープラやパッチ貼具のように、紙葉類を穿孔し得る針状のものや、紙葉類を穿孔し得る種々のものを採用することができる。また、穿孔具をファイルの表紙体に設ける場合であっても、当該穿孔具を設ける位置についても、例えば背表紙近傍に設けたり綴じ具に隣接させて設けたりする等、種々変更することが可能である。勿論、ファイルが有している綴じ具の配置についても、上記実施形態では表表紙の開放端側に設けたものとしていたが、綴じ具を背表紙近傍或いは背表紙に設けたものであっても良く、種々変更することが可能である。
【００８６】
その他、各部の具体的構成についても上記実施形態に限られるものではなく、本発明の趣旨を逸脱しない範囲で種々変形が可能である。
【図面の簡単な説明】
【００８７】
【図１】本発明の第一実施形態に斯かる外観図。
【図２】同実施形態に係る要部を示す外観図。
【図３】同実施形態に係る平面図。
【図４】同実施形態に係る展開図。
【図５】同実施形態に係る要部拡大図。
【図６】同実施形態に係る断面図。
【図７】同実施形態に係る動作説明図。
【図８】同上
【図９】実施形態の第一変形例に係る外観図。
【図１０】同実施形態の第二変形例に係る平面図。
【図１１】同実施形態の第二変形例に係る模式的な図。
【図１２】同実施形態の第二変形例に係る断面図。
【図１３】本発明の第二実施形態に係る外観図。
【図１４】同実施形態に係る要部を示す外観図。
【図１５】同上。
【図１６】同上。
【図１７】同実施形態に係る断面図。
【図１８】同実施形態に係る動作説明図。
【図１９】同上
【図２０】実施形態の第一変形例に係る外観図。
【図２１】実施形態の第二変形例に係る外観図。
【符号の説明】
【００８８】
１、５１…弾性支持部
１ａ、５１ａ…弾性折返し端
１０…折返し片
５１０…延出部
１０ａ、５１０ａ…弾性折返し端（第二弾性折返し端）
５１０ｂ…押圧端
１１、５１…凹部支持部
１３…隙間
１５、５１５…凸部支持部
２、５２…穿孔凸部（雄刃）
２ａ、５２ａ…突出端
３、５３…穿孔凹部（雌刃）
４、５４…舌片
４ａ、５４ａ…弾性折返し端（側部折返し端）
６…離間防止部
６１…折返し部
６２…止着部
Ｈ…表紙体
Ｈ２…表紙体の一部（裏表紙）
Ｆ、Ｆ１…ファイル
Ｓ、Ｓ１、５…穿孔具
【図１】
2008132589.tif 000003
【図２】
2008132589.tif 000004
【図３】
2008132589.tif 000005
【図４】
2008132589.tif 000006
【図５】
2008132589.tif 000007
【図６】
2008132589.tif 000008
【図７】
2008132589.tif 000009
【図８】
2008132589.tif 000010
【図９】
2008132589.tif 000011
【図１０】
2008132589.tif 000012
【図１１】
2008132589.tif 000013
【図１２】
2008132589.tif 000014
【図１３】
2008132589.tif 000015
【図１４】
2008132589.tif 000016
【図１５】
2008132589.tif 000017
【図１６】
2008132589.tif 000018
【図１７】
2008132589.tif 000019
【図１８】
2008132589.tif 000020
【図１９】
2008132589.tif 000021
【図２０】
2008132589.tif 000022
【図２１】
2008132589.tif 000023